(57)【要約】【課題】  本発明は、工事写真などの特殊な写真とそれ以上写真が混在しても、簡単な操作で撮影後即座に所望の画像ファイルを検索・選択することができ、更に所望の印刷レイアウトで確認できる。【解決手段】  本発明の携帯端末装置は、モード設定手段によって所望の撮影モードに設定されたときであって、外部機器が接続されて通信手段を介して通信路が構築されたとき、所望の撮影モードで撮像手段によって撮影された画像ファイルのみを画像ファイル記憶手段から検索手段によって検索し、検索結果の所望の撮影モードで撮影された画像ファイルを通信手段を介して外部機器に送信する。よって、モード設定手段によって所望の撮影モードに設定するという簡単な操作で、撮影後即座に画像ファイルを検索・選択できる携帯端末装置を提供することができる。【選択図】        図１
2008160374.tif 000002
【特許請求の範囲】
【請求項１】
被写体像を撮像して画像データとして出力する撮像手段と、該撮像手段によって撮影された被写体像の前記画像データを画像ファイルとして記憶する画像ファイル記憶手段と、外部機器との通信路を構築する通信手段と、画像ファイルを検索する検索手段と、撮影モードを設定するモード設定手段とを有し、
該モード設定手段によって所望の撮影モードに設定されたときであって、外部機器が接続されて前記通信手段を介して通信路が構築されたとき、所望の撮影モードで前記撮像手段によって撮影された画像ファイルのみを前記画像ファイル記憶手段から前記検索手段によって検索し、検索結果の所望の撮影モードで撮影された画像ファイルを前記通信手段を介して外部機器に送信することを特徴とする携帯端末装置。
【請求項２】
接続された外部機器が記録装置である場合、当該記録装置に対して印刷のレイアウトを作成する印刷レイアウト作成手段を有し、該印刷レイアウト作成手段は所望の撮影モードで撮影された画像ファイルに対する印刷レイアウトを所望の写真レイアウトに作成することを特徴とする請求項１記載の携帯端末装置。
【請求項３】
前記撮像手段によって撮影された画像、各種情報や選択画面を表示する表示部を有することを特徴とする請求項１又は２に記載の携帯端末装置。
【請求項４】
前記検索手段によって検索した検索結果の所望の撮影モードで撮影された画像ファイルの内任意の画像ファイルを選択する画像ファイル選択手段を有することを特徴とする請求項１〜３のいずれか１項に記載の携帯端末装置。
【請求項５】
前記所望の撮影モードは工事写真撮影モードであることを特徴とする請求項１〜４のいずれか１項に記載の携帯端末装置。
【請求項６】
前記所望の撮影モードは工事写真撮影モードであった場合、前記所望の印刷レイアウトは工事写真レイアウトとなる請求項２記載の携帯端末装置。
【請求項７】
被写体像を撮像して画像データとして出力する撮像手段と、該撮像手段によって撮影された被写体像の前記画像データを画像ファイルとして記憶する画像ファイル記憶手段と、外部機器との通信路を構築する通信手段と、画像ファイルを検索する検索手段と、撮影モードを設定するモード設定手段とを有し、
該モード設定手段によって所望の撮影モードに設定されたときであって、外部機器が接続されて前記通信手段を介して通信路が構築されたとき、所望の撮影モードで前記撮像手段によって撮影された画像ファイルのみを前記画像ファイル記憶手段から前記検索手段によって検索し、検索結果の所望の撮影モードで撮影された画像ファイルを前記通信手段を介して外部機器に送信することを特徴とする撮像装置。
【請求項８】
請求項１〜６のいずれか１項に記載の携帯端末装置は、通話機能及びデータ通信機能を有することを特徴とする携帯電話器。
【請求項９】
被写体像を撮像して画像データとして出力する撮像工程と、
該撮像工程によって撮影された被写体像の前記画像データを画像ファイルとして記憶する画像ファイル記憶工程と、
撮影モードを設定するモード設定工程と、
該モード設定工程によって所望の撮影モードに設定されたときであって、外部機器が接続されて通信手段を介して通信路が構築されたとき、所望の撮影モードで撮影された画像ファイルのみを検索する検索工程と、
検索結果の所望の撮影モードで撮影された画像ファイルを通信手段を介して外部機器に送信する送信工程と
を有することを特徴とする画像送信方法。
【請求項１０】
被写体像を撮像して画像データとして出力する撮像工程と、
該撮像工程によって撮影された被写体像の前記画像データを画像ファイルとして記憶する画像ファイル記憶工程と、
撮影モードを設定するモード設定工程と、
該モード設定工程によって所望の撮影モードに設定されたときであって、記録装置が接続されて通信手段を介して通信路が構築されたとき、所望の撮影モードで撮影された画像ファイルのみを検索する検索工程と、
検索結果の所望の撮影モードで撮影された画像ファイルを通信手段を介して記録装置に送信して印刷する印刷工程と
を有することを特徴とする印刷処理方法。
【請求項１１】
記録装置に対して印刷のレイアウトを作成する印刷レイアウト作成工程を有し、所望の撮影モードで撮影された画像ファイルに対する印刷レイアウトを所望の写真レイアウトに作成することを特徴とする請求項７記載の印刷処理方法。
【請求項１２】
コンピュータに、
被写体像を撮像して画像データとして出力する撮像手順と、
該撮像手順によって撮影された被写体像の前記画像データを画像ファイルとして記憶する画像ファイル記憶手順と、
撮影モードを設定するモード設定手順と、
該モード設定手順によって所望の撮影モードに設定されたときであって、外部機器が接続されて通信手段を介して通信路が構築されたとき、所望の撮影モードで撮影された画像ファイルのみを検索する検索手順と、
検索結果の所望の撮影モードで撮影された画像ファイルを通信手段を介して外部機器に送信する送信手順と
を実行させるためのプログラム。
【請求項１３】
コンピュータに、
被写体像を撮像して画像データとして出力する撮像手順と、
該撮像手順によって撮影された被写体像の前記画像データを画像ファイルとして記憶する画像ファイル記憶手順と、
撮影モードを設定するモード設定手順と、
該モード設定手順によって所望の撮影モードに設定されたときであって、記録装置が接続されて通信手段を介して通信路が構築されたとき、所望の撮影モードで撮影された画像ファイルのみを検索する検索手順と、
検索結果の所望の撮影モードで撮影された画像ファイルを通信手段を介して記録装置に送信して印刷する印刷手順と
を実行させるためのプログラム。
【請求項１４】
請求項１２又は１３に記載のプログラムを記録したコンピュータ読み取り可能な記録媒体。
【発明の詳細な説明】
【技術分野】
【０００１】
本発明は携帯端末装置、撮像装置、携帯電話器、画像送信方法、印刷処理方法、プログラム及び該プログラムを記録したコンピュータ読み取り可能な記録媒体に関し、詳細には工事写真対応のデジタルカメラにおける工事写真の管理、編集及び印刷技術に関する。
【背景技術】
【０００２】
工事現場や建築現場において、工事の着手前、工事途中や工事完成後などの工事写真を工事写真対応のデジタルカメラにより撮影し、この撮影した工事写真を画像データのファイルとして取り込み、工事写真アルバムを作成し、印刷している。
【０００３】
従来の工事写真対応カメラでは、工事写真撮影したファイルを探して印刷するときに、再生ファイルを全て見ながら確認しなければならず工事写真ファイルを探すのに手間取った、さらに印刷イメージがわからなかった。そこで、従来より膨大な数の工事写真ファイルを整理するための提案がいくつか提案されている。
【０００４】
その一つとして、特許文献１では、工事箇所と同時に工事箇所の説明用黒板を設営領域内に含ませて撮影し、その写真の中の説明用黒板を拡大して当該説明用黒板に記入されている説明を見ながら写真説明記入欄に入力部により記入し、当該記入した内容に基づいて工事写真アルバムを作成している。
【特許文献１】特開２００４−０９４６０５号公報
【発明の開示】
【発明が解決しようとする課題】
【０００５】
しかしながら、上記特許文献１によれば、撮影後各工事写真に対して写真説明記入欄に記入する手間があり、また全ての工事写真の記入が完了した後でないと画像ファイルの検索ができないという問題点がある。
【０００６】
本発明はこのような問題点を解決するためのものであり、工事写真などの特殊な写真とそれ以上写真が混在しても、簡単な操作で撮影後即座に所望の画像ファイルを検索・選択することができ、更に所望の印刷レイアウトで確認できる、携帯端末装置、撮像装置、携帯電話器、画像送信方法、印刷処理方法、プログラム及び該プログラムを記録したコンピュータ読み取り可能な記録媒体を提供することを目的とする。
【課題を解決するための手段】
【０００７】
前記問題点を解決するために、本発明の携帯端末装置は、被写体像を撮像して画像データとして出力する撮像手段と、撮像手段によって撮影された被写体像の画像データを画像ファイルとして記憶する画像ファイル記憶手段と、外部機器との通信路を構築する通信手段と、画像ファイルを検索する検索手段と、撮影モードを設定するモード設定手段とを有している。そして、本発明の携帯端末装置は、モード設定手段によって所望の撮影モードに設定されたときであって、外部機器が接続されて通信手段を介して通信路が構築されたとき、所望の撮影モードで撮像手段によって撮影された画像ファイルのみを画像ファイル記憶手段から検索手段によって検索し、検索結果の所望の撮影モードで撮影された画像ファイルを通信手段を介して外部機器に送信することに特徴がある。よって、モード設定手段によって所望の撮影モードに設定するという簡単な操作で、撮影後即座に画像ファイルを検索・選択できる。
【０００８】
また、接続された外部機器が記録装置である場合、当該記録装置に対して印刷のレイアウトを作成する印刷レイアウト作成手段を有し、この印刷レイアウト作成手段は所望の撮影モードで撮影された画像ファイルに対する印刷レイアウトを所望の画像レイアウトに作成する。よって、検索し選択した所望の画像ファイルを所望の印刷レイアウトで確認できる。
【０００９】
更に、撮像手段によって撮影された画像、各種情報や選択画面を表示する表示部を有することにより、出力する前に検索し選択した所望の写真ファイルを所望の印刷レイアウトで表示して確認することができる。
【００１０】
また、検索手段によって検索した検索結果の所望の撮影モードで撮影された画像ファイルの内任意の写真ファイルを選択する画像ファイル選択手段を有することにより、不必要な画像ファイルを出力しないことができ操作性を向上できる。
【００１１】
更に、所望の撮影モードは工事写真撮影モードである。また、所望の撮影モードは工事写真撮影モードであった場合、所望の印刷レイアウトは工事写真レイアウトとなる。よって、工事写真用の撮像装置に適用できる。
【００１２】
また、別の発明としての撮像装置は、被写体像を撮像して画像データとして出力する撮像手段と、撮像手段によって撮影された被写体像の画像データを画像ファイルとして記憶する画像ファイル記憶手段と、外部機器との通信路を構築する通信手段と、画像ファイルを検索する検索手段と、撮影モードを設定するモード設定手段とを有している。そして、本発明の撮像装置は、モード設定手段によって所望の撮影モードに設定されたときであって、外部機器が接続されて通信手段を介して通信路が構築されたとき、所望の撮影モードで撮像手段によって撮影された画像ファイルのみを画像ファイル記憶手段から検索手段によって検索し、検索結果の所望の撮影モードで撮影された画像ファイルを通信手段を介して外部機器に送信することに特徴がある。よって、モード設定手段によって所望の撮影モードに設定するという簡単な操作で、撮影後即座に画像ファイルを検索・選択できる撮像装置を提供することができる。
【００１３】
更に、別の発明として、上記携帯端末装置は通話機能及びデータ通信機能を有することを特徴とする携帯電話器である。
【００１４】
また、別の発明としての画像送信方法によれば、被写体像を撮像して画像データとして出力する撮像工程と、撮像工程によって撮影された被写体像の画像データを画像ファイルとして記憶する画像ファイル記憶工程と、撮影モードを設定するモード設定工程と、モード設定工程によって所望の撮影モードに設定されたときであって、外部機器が接続されて通信手段を介して通信路が構築されたとき、所望の撮影モードで撮影された画像ファイルのみを検索する検索工程と、検索結果の所望の撮影モードで撮影された画像ファイルを通信手段を介して外部機器に送信する送信工程とを有することに特徴がある。よって、モード設定手段によって所望の撮影モードに設定するという簡単な操作で、撮影後即座に画像ファイルを検索・選択でき、外部機器に送信できる。
【００１５】
更に、別の発明としての印刷処理方法によれば、被写体像を撮像して画像データとして出力する撮像工程と、撮像工程によって撮影された被写体像の画像データを画像ファイルとして記憶する画像ファイル記憶工程と、撮影モードを設定するモード設定工程と、モード設定工程によって所望の撮影モードに設定されたときであって、記録装置が接続されて通信手段を介して通信路が構築されたとき、所望の撮影モードで撮影された画像ファイルのみを検索する検索工程と、検索結果の所望の撮影モードで撮影された画像ファイルを通信手段を介して記録装置に送信して印刷する印刷工程とを有することに特徴がある。よって、モード設定手段によって所望の撮影モードに設定するという簡単な操作で、撮影後即座に画像ファイルを検索・選択して記録装置に送信して印刷することができる。
【００１６】
また、記録装置に対して印刷のレイアウトを作成する印刷レイアウト作成工程を有し、所望の撮影モードで撮影された画像ファイルに対する印刷レイアウトを所望の写真レイアウトに作成する。よって、検索し選択した所望の画像ファイルを所望の印刷レイアウトで確認できる。
【００１７】
更に、別の発明として、画像送信方法を実行させるためのプログラムは、コンピュータに、被写体像を撮像して画像データとして出力する撮像手順と、撮像手順によって撮影された被写体像の画像データを画像ファイルとして記憶する画像ファイル記憶手順と、撮影モードを設定するモード設定手順と、モード設定手順によって所望の撮影モードに設定されたときであって、外部機器が接続されて通信手段を介して通信路が構築されたとき、所望の撮影モードで撮影された画像ファイルのみを検索する検索手順と、検索結果の所望の撮影モードで撮影された画像ファイルを通信手段を介して外部機器に送信する送信手順とを実行させるためのプログラムである。よって、既存のシステムを変えることなく、画像送信システムを汎用的に構築することができる。
【００１８】
また、別の発明として、印刷処理方法を実行させるためのプログラムは、コンピュータに、被写体像を撮像して画像データとして出力する撮像手順と、撮像手順によって撮影された被写体像の画像データを画像ファイルとして記憶する画像ファイル記憶手順と、撮影モードを設定するモード設定手順と、モード設定手順によって所望の撮影モードに設定されたときであって、記録装置が接続されて通信手段を介して通信路が構築されたとき、所望の撮影モードで撮影された画像ファイルのみを検索する検索手順と、検索結果の所望の撮影モードで撮影された画像ファイルを通信手段を介して記録装置に送信して印刷する印刷手順とを実行させるためのプログラムである。よって、既存のシステムを変えることなく、印刷処理システムを汎用的に構築することができる。
【００１９】
更に、上記各プログラムを記録したコンピュータ読み取り可能な記録媒体に特徴がある。
【発明の効果】
【００２０】
本発明の撮像装置は、モード設定手段によって所望の撮影モードに設定されたときであって、外部機器が接続されて通信手段を介して通信路が構築されたとき、所望の撮影モードで撮像手段によって撮影された画像ファイルのみを画像ファイル記憶手段から検索手段によって検索し、検索結果の所望の撮影モードで撮影された画像ファイルを通信手段を介して外部機器に送信する。よって、モード設定手段によって所望の撮影モードに設定するという簡単な操作で、撮影後即座に画像ファイルを検索・選択できる撮像装置を提供することができる。
【発明を実施するための最良の形態】
【００２１】
図１は本発明の一実施の形態に係る携帯端末装置の構成を示すブロック図である。本実施の形態の携帯端末装置は少なくとも撮影機能を有しており、デジタルカメラの撮像装置や携帯電話器などであるがここでは撮像装置を例として説明する。撮像装置１は、撮像装置全体を制御する制御部１０と、プリンタ２とＵＳＢやブルーツースを用いて、又はネットワーク網３を介してサーバ４やＰＣなどの端末装置５、そしてプリンタ６との通信路を構築するための通信Ｉ／Ｆ部１１と、各種の操作を入力する操作部１２と、撮影した画像や各種情報を表示する表示部１３と、ＣＣＤやＡＤ変換器など画像情報の入力部である撮像部１４と、撮影した画像のファイルや情報を記憶するフラッシュメモリなどの外部記憶部１５とを有している。また、制御部１０は、ＣＰＵ１０−１、ＲＯＭ１０−２、ＲＡＭ１０−３、Ｉ／Ｏポート部１０−４及びこれらを結ぶ内部バス１０−５を含んで構成されるような周知のマイクロコンピュータにより構成されている。更に、操作部１２には、撮像部１４の撮影モードを選択するモードダイヤルがあり、静止画撮影モード、工事写真撮影モード、動画撮影モードを設定できる。また、撮像装置１とネットワーク網３を介して接続されるサーバ４やＰＣなどの端末装置５では、後述する写真管理方法や印刷処理方法を実行する。
【００２２】
次に、本発明の携帯端末装置である撮像装置における撮影モードが工事写真撮影モードであるときの印刷処理動作について該動作フローを示す図２に従って説明する。
【００２３】
先ず、図１の操作部１２によって撮影モードが工事写真撮影モードに設定されているとき通信Ｉ／Ｆ部１１がプリンタ２のケーブル接続を検出すると（ステップＳ１０１；ＹＥＳ、ステップＳ１０２；ＹＥＳ）、プリンタ２からの能力値の受信待ちと、受信時の受信処理を行う（ステップＳ１０３）。そして、図１の外部記憶部１５に記憶されているＥＸＩＦファイル（画像ファイル）を検索する（ステップＳ１０４）。ＥＸＩＦファイルのヘッダー部分（メーカノートなど）には工事写真で記録のフラグを設定しており、このフラグをチェックして全ての画像ファイルに対して検索を行う。フラグチェックの結果、工事写真のＥＸＩＦファイルは図３のようなコマ管理テーブルの例で示したようにファイル名の登録を行う。全てのＥＸＩＦファイルの検索が終了したかチェックし（ステップＳ１０５）、未検索のファイルがあれば続けてステップＳ１０４の処理から行う。次に、図３のコマ管理テーブルを元に印刷ファイル選択のための印刷ファイル再生処理を行う（ステップＳ１０６）。ここで、印刷操作があると再生処理されたファイルのリストテーブルを元に印刷要求を図１のプリンタ２に送信する（ステップＳ１０７；ＹＥＳ、ステップＳ１０８）。なお、図４にプリンタ２への複数ファイルの印刷要求の例(XMLの場合)を示す。図４の<print File>は、印刷対象のファイル名で、工事写真撮影モードで撮影された複数のファイルである。<print Layout>は、印刷レイアウトで、図５のように定義されている。図４に示す例での<print Layout>は、「08050000」なので、図５に示すように工事写真レイアウトで印刷要求されたことになる。そして、印刷要求を送信した後、プリンタ２から印刷結果の応答を待ち（ステップＳ１０９）、プリンタ２へは複数ファイルの印刷要求を行っているので、全ての印刷結果を受信したか判定を行う（ステップＳ１１１）。未受信の結果がある場合（ステップＳ１１１；ＮＯ）はステップＳ１０９に戻って受信待ちとなる。なお、図４の例ではプリンタ２へ複数のファイルの印刷を要求する例であったが、図６に示すように１つずつのファイルの印刷を要求することも可能である。
【００２４】
次に、本発明の携帯端末装置である撮像装置におけるプリンタモード設定について当該設定フローを示す図７に従って説明する。
先ず、カメラの電源を投入し（ステップＳ２０１）、SETUPモードにして図１の表示部１３にSETUPメニューを表示する（ステップＳ２０２）。このSETUPメニューには、カメラの機能に関する設定項目一覧が表示される。この設定項目の中から図１の操作部１２によりプリンタモードを選択する（ステップＳ２０３）。するとプリンタモードの選択肢として、通常印刷と自動印刷が表示部１３に表示される。通常を選択すると、カメラとプリンタを接続したとき画像を選択してから印刷する通常モードになり、自動印刷を選択すると撮像装置１とプリンタ２を接続したとき工事写真画像全てを自動で印刷するモードになる（ステップＳ２０４）。
【００２５】
以上はＥＸＩＦファイルを一つずつ送信する例であったが、一括で送信する例について当該動作フローを示す図８に従って以下に説明する。
はじめに、図１の操作部１２より工事写真の一括印刷操作があると（ステップＳ３０１；ＹＥＳ）、図１の外部記憶部１５に記憶されているＥＸＩＦファイル（画像ファイル）を検索する。ＥＸＩＦファイルのヘッダー部分（メーカノートなど）には工事写真で記録のフラグを設定しており、このフラグをチェックして検索を行う。フラグチェックの結果、工事写真のＥＸＩＦファイルは図９のリストテーブルの例で示したようにファイル名の登録を行う（ステップＳ３０２）。全てのＥＸＩＦファイルの検索が終了したかチェックし、未検索のファイルがあれば続けてステップＳ３０２の処理から行う（ステップＳ３０３；ＮＯ）。そして、全てのＥＸＩＦファイルの検索が終了したとき（ステップＳ３０３；ＹＥＳ）、図９のリストテーブルを元に図４のようなプリンタ２への印刷要求の例（複数の場合）を作成し、プリンタ２に送信する（ステップＳ３０４）。その後、プリンタ２から印刷結果の応答を待ち（ステップＳ３０５）、プリンタ２へは複数ファイルの印刷要求を行っているので、全ての印刷結果を受信したか判定を行う（ステップＳ３０７）。未受信の結果がある場合（ステップＳ３０７；ＮＯ）はステップＳ３０５に戻って受信待ちとなる。
【００２６】
次に、本発明の携帯端末装置である撮像装置における印刷ファイルの選択について図１０の動作フローに従って説明する。印刷ファイルの選択方法は、１ファイル選択、全ファイル選択、複数ファイル選択がある。そこで、図１０のステップＳ４０６で、１ファイル選択又は全ファイル選択の場合は、図１の操作部１２の操作により、図１１に示すような表示部の表示画面２０に１ファイルか全ファイルかを選択させる選択画面２１を表示させ、１ファイル又は全ファイルを選択する。１ファイルか全ファイルかが選択されたら、図１２に示すような工事写真レイアウトでの印刷確認画面２２を表示する（ステップＳ４０７）。一方、図１０のステップＳ４０６で、複数ファイルの選択の場合は、図１の操作部１２の操作により、図１３に示すような表示部の表示画面２０に所望のファイルを選択させる選択画面２３を表示させ、図１３に示すような例えばプリンタの図柄のアイコンを表示させて所望のファイルを選択する。所望のファイルが選択されたら、図１２に示すような工事写真レイアウトでの印刷確認画面２２を表示する（ステップＳ４０７）。それ以降の動作は、図２のステップＳ１０７〜Ｓ１１１の処理と同じである図１０のステップＳ４０８〜Ｓ４１２の処理を行う。
【００２７】
図１４は本発明の携帯端末装置における画像送信方法又は印刷処理方法を実行させるプログラムを起動するための具体的な装置の構成を示すブロック図である。つまり、同図は上記実施の形態における携帯端末装置における画像送信方法又は印刷処理方法によるソフトウェアを実行させるマイクロプロセッサ等から構築されるハードウェアを示すものである。同図において、携帯端末装置における画像送信システム又は印刷処理システムはインターフェース（以下Ｉ／Ｆと略す）３１、ＣＰＵ３２、ＲＯＭ３３、ＲＡＭ３４、表示装置３５、ハードディスク３６、キーボード３７及びＣＤ−ＲＯＭドライブ３８を含んで構成されている。また、汎用の処理装置を用意し、ＣＤ−ＲＯＭなどの読取可能な記録媒体３９には、本発明の携帯端末装置の画像送信方法又は印刷処理方法を実行させるプログラムが記憶されている。更に、Ｉ／Ｆ３１を介して外部装置から制御信号が入力され、キーボード３７によって操作者による指令又は自動的に本発明のプログラムが起動される。そして、ＣＰＵ３２は当該プログラムに従って上述の携帯端末装置の画像送信方法又は印刷処理方法に伴う制御処理を施し、その処理結果をＲＡＭ３４やハードディスク３６等の記憶装置に格納し、必要により表示装置３５などに出力する。以上のように、本発明の携帯端末装置の画像送信方法又は印刷処理方法を実行させるプログラムが記録した記録媒体を用いることにより、既存のシステムを変えることなく、画像送信システム又は印刷処理システムを汎用的に構築することができる。
【００２８】
なお、本発明は上記実施の形態例に限定されるものではなく、特許請求の範囲内の記載であれば多種の変形や置換可能であることは言うまでもない。
【図面の簡単な説明】
【００２９】
【図１】本発明の一実施の形態に係る携帯端末装置の構成を示すブロック図である。
【図２】本発明の携帯端末装置における撮影モードが工事写真撮影モードであるときの印刷処理動作を示すフローチャートである。
【図３】コマ管理テーブルの例を示す図である。
【図４】プリンタへの複数ファイルの印刷要求の例を示す図である。
【図５】印刷レイアウトの一覧例を示す図である。
【図６】プリンタへの１つのファイルの印刷要求の例を示す図である。
【図７】本発明の携帯端末装置におけるプリンタモード設定動作を示すフローチャートである。
【図８】プリンタへファイルを一括で送信するときの印刷処理動作を示すフローチャートである。
【図９】リストテーブルの例を示す図である。
【図１０】本発明の携帯端末装置における印刷ファイルの選択動作を示すフローチャートである。
【図１１】１ファイル選択又は全ファイル選択のときの表示部の表示画面の一例を示す図である。
【図１２】工事写真レイアウトでの印刷確認画面の一例を示す図である。
【図１３】複数ファイルの選択のときの表示部の表示画面の一例を示す図である。
【図１４】本発明の携帯端末装置における画像送信方法又は印刷処理方法を実行させるプログラムを起動するための具体的な装置の構成を示すブロック図である。
【符号の説明】
【００３０】
１；撮像装置、２，６；プリンタ、３；ネットワーク網、４；サーバ、
５；端末装置、１０；制御部、１０−１；ＣＰＵ、
１０−２；ＲＯＭ、１０−３；ＲＡＭ、１０−４；Ｉ／Ｏポート部、
１０−５；内部バス、１１；通信Ｉ／Ｆ部、１２；操作部、
１３；表示部、１４；撮像部、１５；外部記憶部、２０；表示画面、
２１，２３；選択画面、２２；印刷確認画面。
【図１】
2008160374.tif 000003
【図２】
2008160374.tif 000004
【図３】
2008160374.tif 000005
【図４】
2008160374.tif 000006
【図５】
2008160374.tif 000007
【図６】
2008160374.tif 000008
【図７】
2008160374.tif 000009
【図８】
2008160374.tif 000010
【図９】
2008160374.tif 000011
【図１０】
2008160374.tif 000012
【図１１】
2008160374.tif 000013
【図１２】
2008160374.tif 000014
【図１３】
2008160374.tif 000015
【図１４】
2008160374.tif 000016